(57)【要約】【課題】回転時の軸ぶれをなくし、かつ報知のために適用される周面に成形時のヒケ等の傷を防止しつつ、変形に対する強度を高める。【解決手段】樽型形状の回転体本体１０４と、これの両端面に取り付けられ、回転体本体を回転させるための回転軸１１０を直接軸支するジョイント１０６と、に分割して形成し、回転軸１１０の軸ぶれは、ジョイント１０６（ベアリング１１６）によって吸収するようにした。回転体本体１０４の内部に、回転体本体１０４とは別部材の円板状のコア１１２を骨組部材として配設し、回転本体１０４の周面の内側と両端面に当接させ、回転体本体１０４の成形やメッキ処理による変形を矯正する。これにより、回転体本体１０４をほぼ同一の肉厚で成形することができ、リブ等を一体成形したときに生じるヒケの発生をなくし、見栄えを向上することができる。【選択図】　　　　図３
2004065633.tif 000002
【特許請求の範囲】
【請求項１】
所定の軸線を中心に回転する回転体であって、
互いに干渉せず、かつ前記軸線が貫通する一対の端面と、及び前記一対の端面間に掛け渡され、球体表面の一部と同一形状とされる周面とによって構成された略樽型形状の回転体本体と、
前記回転体本体の一対の端面にそれぞれ取り付けられ、前記軸線に沿って設けられた回転軸を支持する皿状の支持部材と、
前記回転体の内部空間に配設され、前記回転体本体を補強する骨組部材と、
を有する回転体。
【請求項２】
遊技盤上に発射された遊技球の移動によって遊技が進行し、当該遊技の進行に応じて情報を報知する報知手段を備えた遊技機であって、
前記報知手段が、前記遊技盤面に設けられた開口部から一部が露出され、所定の軸線を中心に回転する回転体によって構成され、
前記回転体が、
互いに干渉せず、かつ前記軸線が貫通する一対の端面と、及び前記遊技盤の開口部に対応されると共に、前記一対の端面間に掛け渡され、球体表面の一部と同一形状とされる周面とによって構成された略樽型形状の回転体本体と、
前記回転体本体の一対の端面にそれぞれ取り付けられ、前記軸線に沿って設けられた回転軸を支持する皿状の支持部材と、
前記回転体の内部空間に配設され、前記回転体本体を補強する骨組部材と、
を有する遊技機。
【請求項３】
前記遊技盤の開口部が、前記回転体の周面に沿うように半球状の透明カバーによって覆われており、この透明カバーの周縁には、前記遊技盤の裏面側から表面に向けて照射された光が入射することで当該光を屈折させ、前記回転体の周面を照射するように案内するレンズ枠が設けられていることを特徴とする請求項２記載の遊技機。
【発明の詳細な説明】
【０００１】
【発明の属する技術分野】
本発明は、所定の軸線を中心に回転する回転体、並びに遊技盤上に発射された遊技球の移動によって遊技が進行し、当該遊技の進行に応じて情報を報知する報知手段を備えた遊技機に関するものである。
【０００２】
【従来の技術及び発明が解決しようとする課題】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り）を持つパチンコ機がある。
【０００３】
この種のパチンコ機では、抽選の結果を遊技者に報知する演出として、パチンコ機のゲージ盤の中央に表示部（通常は液晶表示画面）を設置している。この表示部は、複数の列の図柄変動画面が構成され（背景画面もある）、この変動する図柄が停止したときの並びで当たり外れを報知するようになっている。遊技者は、この図柄変動画面を見ることによって、当たりか外れかに一喜一憂するため、期待感を持たせることができる。
【０００４】
ここで、前記表示部以外に、付加価値（例えば、確率変動や時短等）の抽選の結果を報知する表示部（サブ表示部）を設ける場合がある。このサブ表示部には、従来７セグメント構成やドットマトリクスパターン構成のものが広く適用されているが、近年ではインパクトのある球体を配置し、この球体を回転させることで抽選結果を報知する構造が提案されている。
【０００５】
このような球体を構成する場合、一般的には半球状の２部材の開口端を突き合せて構成するが、このように組み立てられた球体に回転軸を貫通させ、この回転軸を中心に回転させた場合、回転軸の支持が不安定となり、軸ぶれを発生させる原因となる。
【０００６】
また、球体の表面にはメッキ処理が施されていることが多く、このメッキ処理によって光による演出効果を増大させることができる。
【０００７】
しかしながら、このメッキ加工の際に、半球状に成形された部品が変形することがある。成形品の変形を防止する手段としては、内側にリブを一体成形すればよいが、このリブの一体成形によりヒケが発生し、見栄えが悪くなる。
【０００８】
本発明は上記事実を考慮し、回転時の軸ぶれをなくし、かつ報知のために適用される周面に成形時のヒケ等の傷を防止しつつ、変形に対する強度を高めることができる回転体を得ることが目的である。
【０００９】
また、上記目的に加え、遊技盤上の報知手段の１つとして回転体を適用した場合に、回転時の軸ぶれをなくし、かつ報知のために適用される周面に成形時のヒケ等の傷を防止しつつ、変形に対する強度を高めることで見栄えを向上することができる遊技機を得ることが目的である。
【００１０】
【課題を解決するための手段】
請求項１記載の発明は、所定の軸線を中心に回転する回転体であって、互いに干渉せず、かつ前記軸線が貫通する一対の端面と、及び前記一対の端面間に掛け渡され、球体表面の一部と同一形状とされる周面とによって構成された略樽型形状の回転体本体と、前記回転体本体の一対の端面にそれぞれ取り付けられ、前記軸線に沿って設けられた回転軸を支持する皿状の支持部材と、前記回転体の内部空間に配設され、前記回転体本体を補強する骨組部材と、を有している。
【００１１】
請求項１記載の発明によれば、回転体本体の周面は、メッセージを印刷又は印字して情報を報知するために用いられることが多く、この情報報知の演出としてメッキ処理が施される場合がある。このメッキ処理を行なうと回転体本体自体が変形する可能性があるため、回転体本体と一体となったリブ等で補強しておくことが好ましいが、このリブを一体とすると肉厚の違いにより成形品特有のヒケを発生させる原因となる。
【００１２】
また、回転体本体は、回転することで本来の機能を発揮するが、回転体本体を回転させるための負荷の増大を防止するため、剛性としては低くせざるを得ない。そこで、回転軸を支持する部材を、樽型形状の回転体本体ではなく、この回転体本体の端面に取り付けられた別部材の支持部材とした。また、回転体本体の内部空間に、回転体本体とは別部材の骨組部材を配設し補強したため、回転体本体の回転を安定させることができ、かつメッキ処理が施されたとしても、周面にヒケを生じさせることがない。
【００１３】
請求項２に記載の発明は、遊技盤上に発射された遊技球の移動によって遊技が進行し、当該遊技の進行に応じて情報を報知する報知手段を備えた遊技機であって、前記報知手段が、前記遊技盤面に設けられた開口部から一部が露出され、所定の軸線を中心に回転する回転体によって構成され、前記回転体が、互いに干渉せず、かつ前記軸線が貫通する一対の端面と、及び前記遊技盤の開口部に対応されると共に、前記一対の端面間に掛け渡され、球体表面の一部と同一形状とされる周面とによって構成された略樽型形状の回転体本体と、前記回転体本体の一対の端面にそれぞれ取り付けられ、前記軸線に沿って設けられた回転軸を支持する皿状の支持部材と、前記回転体の内部空間に配設され、前記回転体本体を補強する骨組部材と、を有している。
【００１４】
請求項２に記載の発明によれば、請求項１に記載の回転体を遊技盤上の報知手段の１つとして適用した。遊技盤上の報知手段は、遊技者が遊技の進行に応じて情報を得るために比較的頻繁に見るため、軸ぶれが生じていると回転体本体に印刷又は印字された情報が読み難い。また、メッキ処理に起因してヒケ等が発生している場合にも情報が読み難い。本発明の回転体は、このような不具合を解消ることができるため、遊技盤上の報知手段として、遊技者に対して、インパクトの強い報知が可能となる。
【００１５】
請求項３に記載の発明は、前記請求項２に記載の発明において、前記遊技盤の開口部が、前記回転体の周面に沿うように半球状の透明カバーによって覆われており、この透明カバーの周縁には、前記遊技盤の裏面側から表面に向けて照射された光が入射することで当該光を屈折させ、前記回転体の周面を照射するように案内するレンズ枠が設けられていることを特徴としている。
【００１６】
透明カバーの周縁に、遊技盤の裏面側から表面に向けて照射された光が入射することで当該光を屈折させるレンズ枠を設ける。このレンズ枠がレンズ機能を持っており、当該案内部に入射した光は、屈折によって回転体の周面を照射する。
【００１７】
これにより、光源を遊技盤の裏面側に配置でき、かつ遊技盤の表面に向いている回転体の周面を照明することができる。
【００１８】
【発明の実施の形態】
図１及び図２には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。内枠１４の窓部には、所定の間隔で互いに平行とされた一対のガラス１６をガラスフレーム１８に装着したガラス枠２０の一側部が開閉可能に取付けられており、このガラス枠２０と内枠１４は、内枠１４の他側部（図１の右辺部）に設けられた施錠装置（シリンダ）２２により施錠されるようになっている。
【００１９】
ガラス枠２０の下方位置には、パチンコ機本体内の賞球払出装置から賞球払出口２３を通して払い出された賞球や貸球を貯留して打球発射装置へと誘導する球皿部２４を備えた一体皿２６が配設されている。
【００２０】
一体皿２６は、その一側部（図１の左辺部）が内枠１４に対して開閉可能に取付けられている。一体皿２６の前面には、左側下部に灰皿２８が配置され、右側下部には打球発射装置（図示省略）から発射する打球の飛距離を調整するための発射ハンドル３０が設けられている。
【００２１】
また内枠１４の窓部には、遊技盤載置台に載せて交換可能とされた遊技盤３２が窓部に対応して設置されている。
【００２２】
遊技盤３２は、ベニヤ板３３の表面に、合成樹脂製の薄肉シート状セル３４が貼着されている。また、前記セル３４が貼着された盤面３２Ａには、外バンド３６及び内バンド３７とレール飾り３８、３９とによって囲まれた略円形状の遊技領域４０が形成されており、セル３４の表面で遊技領域４０と対応する範囲には、背景画像や各種キャラクター画像等を含む装飾画（図示省略）が印刷されている。
【００２３】
遊技領域４０には、特別図柄表示装置４２、本実施の形態の特徴部分であるサブ表示装置１００、並びに大入賞口（変動入賞装置）４４等の役物、始動口４６や入賞口４８、風車５０等の遊技部品が取り付けられており、最下位置にアウト口５４が配置されている。
【００２４】
また遊技盤３２の右側端部に配置されたレール飾り３８の右下隅には、証紙５６を貼り付た証紙台５８が取り付けられており、この証紙台５８は、左方に配置されたヒンジ板６０に支持されて、盤面３２Ａに対して開閉動するようになっている。また、レール飾り３９には、その表面のほぼ前面に亘り、別の証紙５９が貼着されている。
【００２５】
なお、本実施形態のパチンコ機１０は、打球発射装置を遊技盤３２の左側下方に配置して遊技球を上方に発射する機種であり、従来機種に比べ、アウト口５４の位置を下げることにより遊技領域４０が拡大されている。
【００２６】
またパチンコ機１０の正面には、図２に示すように、ガラス枠２０の前面に、賞球表示灯や完了表示灯等の機能を有する複数の表示灯６２、６３がガラス１６を取り囲むように配列されており、左上隅近傍と右側端上部に、遊技の効果音を発生するスピーカー６４、６６が配置されている。
【００２７】
前述したように、本実施の形態の遊技盤３２の盤面３２Ａには、主となる特別図柄表示装置４２の正面から見て右下にサブ表示装置１００が配設されている。
【００２８】
特別図柄表示装置４２では、前記始動口４６にパチンコ球が入賞することで実行される抽選の結果を報知するのに対し、サブ表示装置１００では、この抽選結果後の付加価値の抽選結果や遊技に関する演出等を担っている。付加価値とは、遊技仕様によって異なるが、例えば、前記抽選の結果が当りのときに、一定期間の大当り処理（大入賞口４４の所定回数の開放）後からの抽選の確率を高める確率変動（確変）抽選結果の報知や、大当り処理後からの抽選結果報知時間を短縮して、早期に抽選を消化してく時短抽選結果の報知等を言う。また、遊技に関する演出とは、確変や時短モードであることを報知したり、抽選結果の予告等を言う。
【００２９】
本実施の形態のサブ表示装置１００は、少なくとも遊技者に見える部分が球体面となっている。すなわち、遊技盤３２に円形の貫通孔１０２（図６参照）が設けられ、この貫通孔１０２に対応してサブ表示装置１００が取り付けられている。
【００３０】
図３乃至図６には、このサブ表示装置１００の詳細構造が示されている。
【００３１】
サブ表示装置１００は、周面が球体面の一部のように曲面とされ、この周面を挟むように互いに平行な一対の端面とで外郭を構成する樽型形状の回転体本体１０４と、この回転体本体１０４の両端面に取り付けられた支持部材としての一対のジョイント１０６とで構成された回転体１０８を中心に組み付けられている。
【００３２】
回転体本体１０４は、前記ジョイント１０６の中心を貫通する回転軸１１０を中心に回転するようになっており、この回転軸１１０の軸線と平行に２分割したほぼ同一形状の筐体１０４Ａ、１０４Ｂが突き合わされることで、前記樽型形状となっている。
【００３３】
回転体本体１０４には、円板状のコア１１２が収容されている。コア１１２の軸部は、円板部１１２Ａの肉厚寸法よりも厚くコア１１２の表裏面を貫通する円筒部１１２Ｂが一体形成されている。この円筒部１１２Ｂには、前記回転軸１１０が貫通している。
【００３４】
また、コア１１２の円筒部１１２Ｂの基部側は半径方向に拡大され、円筒部１１２Ｂの半径寸法との差によって形成される端面１１２Ｃには、それぞれ一対の小径円筒部１１２Ｄが直径方向の関係となって設けられている。この小径円筒部１１２Ｄの軸線は、前記円筒部１１２Ｂの軸線と平行となっている。
【００３５】
上記構成のコア１１２が前記筐体１０４Ａ、１０４Ｂに収容されると、前記回転軸１１０が前記回転体本体１０４の両端面の軸芯に形成された円孔１１４（実際には、筐体１０４Ａ、１０４Ｂにそれぞれ形成された半円状の切欠部の結合によって円孔１１４が形成される。）を貫通するようになっている。
【００３６】
また、この回転軸１１０は、前記回転体本体１０４の端面に取り付けられたジョイント１０６に設けられた円孔１０６Ａも貫通している。このジョイント１０６に設けられた円孔１０６Ａには、ベアリング１１６が同軸的に取り付けられ、これにより、回転軸１１０は、ベアリング１１６によって軸支される。
【００３７】
また、前記回転軸１１０がベアリング１１６に支持された状態では、前記小径円筒部１１２Ｄは、筐体１０４Ａ、１０４Ｂに形成された円孔１１８と同軸となり得る。
【００３８】
さらに、ジョイント１０６には、この円孔１１８と同軸となり得る円孔１２０が形成されており、小径円筒部１１２Ｄ、円孔１１６、１１８を同軸とした状態でジョイント１０６の外側からビス１２２（図４参照）を円筒部１１２Ｄに螺合することで、コア１１２、回転体本体１０４、ジョイント１０６を一体に組み付けることができる。
【００３９】
このように組み付けられた回転体１０８において、前記回転体本体１０４に収容されたコア１１２の最外周面（円板部１１２Ａの周面）は、回転体本体１０４の曲面状の周面の裏面側に当接するようになっており、前記円筒部１１２Ｂが端面の内面に当接するのとあいまって、周面及び端面の変形を防止する補強部材（骨組部材）としての役目を有している。従って、筐体１０４Ａ、１０４Ｂを成形する際に、通常補強のために一体成形するリブはなく、ほとんど同一の肉厚寸法で筐体１０４Ａ、１０４Ｂが形成されるようになっている。
【００４０】
上記構成の回転体１０８は、回転軸１１０が一対のブラケット１２４、１２６に支持されている。ブラケット１２４、１２６は、前記遊技盤３２の裏面側における貫通孔１０２（図６参照）の周縁に固定され、これにより、回転体１０８の周面を貫通孔１０２に対応させて（遊技盤３２から若干突出させて）配設することができる（図５参照）。
【００４１】
一方のブラケット１２６には、複数の歯車１２８が取り付けられ、モータ１３０の駆動力を回転軸１１０にに伝達している。これにより、回転体１０８は、回転軸１１０を中心に回転し、周面の全域を順次貫通孔１０２から露出させることができる。
【００４２】
なお、この回転体１０８の周面は、メッキ処理等によって光沢のある表面に仕上げられ、かつ予め情報としての文字や絵が印刷されたシール（図示省略）が貼り付けられており、前記回転によって、適宜文字や絵を選択的に露出させ、情報を報知することができるようになっている。
【００４３】
遊技盤３２の表面側における貫通孔１０２の周縁には、飾り部材ベース１３２が取り付けられている。この飾り部材ベース１３２は略三角形の板状とされ、前記貫通孔１０２と同軸の円孔１３４が形成されている。この飾り部材ベース１３２の円孔１３４は、半球状の透明カバー１３６によって覆われ、かつこの透明カバー１３６の外周に断続的に形成されたフランジ部１３６Ａを前記飾りベース部材１３４とによって挟持するようにリング状のレンズ枠１３８が取り付けられている。
【００４４】
また、前記レンズ枠１３８の前部には、飾り部材１４０が取り付けられている。この飾り部材１４０は、遊技盤３２のテーマに沿って着脱し交換可能であり、本実施の形態では、弾丸が貫通して穴が形成されたガラス板の破片をイメージしている。
【００４５】
前記飾り部材ベース１３２には、遊技盤３２を挟んで、一対の基板１４２が対向配置され、図示しないビスによって固定されている。これにより、一対の基板１４２は、前記回転体１０８の周囲に配設されることになる。
【００４６】
この基板１４２には、前記遊技盤３２の貫通孔１０２の周端よりも若干内側の同心円に沿って、断続的にＬＥＤ１４４が略均等配置されている。
【００４７】
ここで、基板１４２に電力が供給され、ＬＥＤ１４４が点灯すると、このＬＥＤ１４４からの光が貫通孔１０２を通過して前記レンズ枠１３８へ至る構成となっている。
【００４８】
図６に示される如く、レンズ枠１３８は、前記ＬＥＤ１４４からの光の光軸（遊技盤３２に対して略垂直な軸）に対して略４５°で入射するレンズ部１３８Ａを備えており、このレンズ部１３８Ａに入射した光は、略９０°屈折され、貫通孔１０２から露出する回転体１０８の周面を照射する光となる。すなわち、光源としてＬＥＤ１４４を遊技盤３２の裏面側に配設した状態で、貫通孔１０２から露出する回転体１０８の周面を照明することができる構成である。
【００４９】
以下に本実施の形態の作用を説明する。
【００５０】
（通常の遊技の流れ）
遊技者がハンドル３０を把持し、発射のための操作を行なうと、このハンドル操作量（回転量）に応じた強度で、パチンコ球が打ち出される。
【００５１】
パチンコ球が打ち出されると、外バンド３６及び内バンド３７に案内されて盤面３２Ａの釘や風車５０等に当接しながら、予測し得ない移動をしながら落下していく。ここで、入賞口４６にパチンコ球が入賞すると、乱数カウンタを用いて所定の確率下で大当り抽選が開始される。この大当り抽選の結果、当り／外れが決定すると、それぞれにおいて、予め準備された図柄変動パターン（図柄変動パターン）を選択（乱数カウンタで選択してもよい）し、特別図柄表示装置４２に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００５２】
すなわち、当り時の図柄変動制御が終了すると、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００５３】
上記ような大当り処理後の通常の遊技において、付加価値をつけることがある。例えば、確変、時短が代表的である。この確変や時短は、前記抽選の際に同時に抽選がなされ、従来では、特別図柄表示装置４２による本来の抽選結果の報知に続いて、確変又は時短に当選したか否かが報知するようにしていた。
【００５４】
しかし本実施の形態では、主となる特別図柄表示装置４２に隣接して、遊技盤３２の正面から見て右下にサブ表示装置１００を配設し、このサブ表示装置１００によって前記付加価値の抽選結果の報知を実行している。
【００５５】
本実施の形態のサブ表示装置１００は、樽型形状の回転体１０８を中心として構成されており、これが回転することで立体感を持たせ、遊技者に対してインパクトのある報知を行なうことができる。
【００５６】
樽型形状の回転体１０８を組み付ける場合、通常は２分割した部材を突き合せ、直接回転軸を取り付けているのが一般的であるが、これでは、回転体１０８の剛性の低さに起因して、軸ぶれを起こし、正確に前記付加価値の抽選結果等の情報を遊技者に報知することができない。
【００５７】
また、回転体１０８の演出効果を増大させるために、メッキ処理を施し、光の反射を利用しているが、このメッキ処理によって回転体１０８の周面にヒケを発生させＲ、見栄えが悪くなっていた。
【００５８】
そこで、本実施の形態では、実質的に遊技者に対して露出される周面を持つ２部材構成の回転体本体１０４と、回転軸１１０を保持する一対のジョイント１０６とに分離すると共に、回転体本体１０４の内方空間に回転体本体１０４とは別部材のコア１１２を配設して補強した。
【００５９】
すなわち、コア１１２の円板部１１２Ａの周端を回転体本体１０４の周面の内側に沿って当接させ、コア１１２の軸心部に形成した円筒部１１２Ｂを両端面に当接させることで、回転体本体１０４の骨組み構造を実現し、変形を防止することができる。
【００６０】
また、回転軸１１０は、コア１１２の円筒部１１２Ｂを貫通させ、回転体本体１０４の両端面に取り付けられたジョイント１０６にベアリング１１６を介して軸支するようにしたため、モータ１３０による回転軸１１０の駆動力が直接回転体本体１０４に伝達されず、ジョイント１０６及びコア１１２を介して伝達される。これにより、回転軸１１０の軸ぶれがベアリング１１６によって吸収され、回転体本体１０４を円滑に回転させることができる。
【００６１】
遊技盤３２に設けられ、前記回転体本体１０４の周面が露出する貫通孔１０２には、半球状の透明カバー１３６が取り付けられており、この半球状の透明カバー１３６によって回転体１０８の立体感が増大する。
【００６２】
また、この透明カバーの周囲には、リング状のレンズ枠１３８が取り付けられており、遊技盤３２の裏面に配設された基板１４２上のＬＥＤ１４４からの光を受け、レンズ部１３８Ａによって略９０°屈折している。これにより、ＬＥＤ１４４からの光を円孔３２から露出する回転体本体１０４の周面を照明する光として利用することができる。このような構造とすることで、光源であるＬＥＤ１４４を遊技盤３２の前面側に配置する必要がなく、遊技盤３２を有効利用することができる。
【００６３】
以上説明したように本実施の形態では、一般的に２部材構成で形成される略球体の演出用表示部材を、実質的に遊技者に露出する部分のみを球体面とした周面を有する樽型形状の回転体本体１０４と、この回転体本体１０４の両端面に取り付けられ、回転体本体を回転させるための回転軸１１０を直接軸支するジョイント１０６と、に分割して形成し、回転軸１１０の軸ぶれは、ジョイント１０６（ベアリング１１６）によって吸収するようにしたため、回転体本体１０４を円滑に回転させることができる。また、回転体本体１０４の内部に、回転体本体１０４とは別部材の円板状のコア１１２を補強部材（骨組部材）として配設し、このコア１１２の円板部１１２Ａの周端を回転本体１０４の周面の内側に当接させ、コア１１２の軸部に設けた円筒部１１２Ｂを回転体本体１０４の両端面に当接させたため、回転体本体１０４の成形やメッキ処理による変形を矯正することができる。これにより、回転体本体１０４をほぼ同一の肉厚で成形することができ、リブ等を一体成形したときに生じるヒケの発生をなくし、見栄えを向上することができる。
【００６４】
さらに、本実施の形態では、遊技盤３２の貫通孔１０２に対応して透明カバー１３６を配置し、この透明カバー１３６の周縁に沿ってレンズ枠１３８を取り付けた。このレンズ枠１３８のレンズ部１３８Ａに遊技盤３２の裏面側に配設された基板１４２上のＬＥＤ１４４からの光が入射されることで、この光を略９０°屈折させ、前記貫通孔１０２から露出する回転体本体１０４の周面を照明するため、光源としてのＬＥＤ１４４を遊技盤３２の前面に配設する必要がなくなり、遊技盤３２を有効利用することができる。
【００６５】
なお、本実施の形態では、サブ表示装置１００を確変や時短等の報知のために適用したが、遊技の進行中に当／外の予告を行うようにしてもよいし、ホール独自の宣伝等に用いてもよい。
【００６６】
また、サブ表示装置１００に設けられたＬＥＤ１４４にて所謂ラッキーナンバー表示を行うようにしてもよい。具体的にはＬＥＤ１４４を時計回りに順次点灯点滅を行って、最終的に点灯したＬＥＤ１４４の位置によって大当り後の遊技の態様を決めるようにする。例えば、上半分の位置で停止した場合には、継続遊技（そのまま遊技を続行できる）にして、下半分の位置で停止した場合には、交換遊技（獲得したパチンコ球を一度計数し、再度パチンコ球を借りて遊技を行う）にする。なお、場所は適宜変更できるので、交換遊技と継続遊技とを交互に配置するようにしてもよい。
【００６７】
また、ＬＥＤ１４４の点灯が停止したときの場所と点灯している色によって、その後の遊技に対して差別化を図るようにしてもよい。もちろん、サブ表示装置１００で行うことも可能である。
【００６８】
さらに、サブ表示装置１００と回りのＬＥＤ１４４との組み合わせにより差別化を図ることもできる。そうすることにより、細かい態様を作り出すことができるので、遊技者により遊技性をアピールすることができる。
【００６９】
【発明の効果】
以上説明した如く本発明では、回転時の軸ぶれをなくし、かつ報知のために適用される周面に成形時のヒケ等の傷を防止しつつ、変形に対する強度を高めることができるという優れた効果を有する。
【００７０】
また、上記効果に加え、遊技盤上の報知手段の１つとして回転体を適用した場合に、回転時の軸ぶれをなくし、かつ報知のために適用される周面に成形時のヒケ等の傷を防止しつつ、変形に対する強度を高めることで見栄えを向上することができるという効果を有する。
【図面の簡単な説明】
【図１】本実施の形態に係るパチンコ機の斜視図である。
【図２】本実施の形態に係るパチンコ機の正面図である。
【図３】本実施の形態に係るサブ表示装置の分解斜視図である。
【図４】サブ表示装置の主構成部品である回転体の分解斜視図である。
【図５】サブ表示装置の正面図である。
【図６】図５のＶＩ−ＶＩ線断面図である。
【符号の説明】
１０　　パチンコ機
３２　　遊技盤
１００　　サブ表示装置
１０２　　円孔
１０４　　回転体本体
１０４Ａ、１０４Ｂ　　筐体
１０６　　ジョイント（支持部材）
１０８　　回転体
１１０　　回転軸
１１２　　コア（骨組部材）
１１２Ａ　　円板部
１１２Ｂ　　円筒部
１１４　　円孔
１１６　　ベアリング
１３０　　モータ
１３２　　飾り部材ベース
１３４　　円孔
１３６　　透明カバー
１３８　　レンズ枠
１３８　　レンズ
１４２　　基板
１４４　　ＬＥＤ
【図１】
2004065633.tif 000003
【図２】
2004065633.tif 000004
【図３】
2004065633.tif 000005
【図４】
2004065633.tif 000006
【図５】
2004065633.tif 000007
【図６】
2004065633.tif 000008